(57)【要約】【課題】画素毎の色フィルターを設ける必要がなく、より高精細な画像を、小型かつ薄型の装置で表示することが可能なカラー画像表示装置を提供する。【解決手段】一次元又は二次元のモノクローム画像を表示する画像表示装置と、この画像表示装置から発したほぼ白色の光線を透過するフィルタとからなり、前記フィルタは電気信号により可視光線の干渉距離を変化させて透過波長を制御する干渉フィルタであり、前記モノクローム画像表示装置で順次三色分解した画像を表示するのと同期して、前記干渉フィルタの透過波長を選択することにより、カラー画像を得ることを特徴とする。【選択図】　　　図１
2004117500.tif 000002
【特許請求の範囲】
【請求項１】
一次元又は二次元のモノクローム画像を表示する画像表示装置と、この画像表示装置から発したほぼ白色の光線を透過するフィルタとからなり、
前記フィルタは電気信号により可視光線の干渉距離を変化させて透過波長を制御する干渉フィルタであり、
前記モノクローム画像表示装置で順次三色分解した画像を表示するのと同期して、前記干渉フィルタの透過波長を選択することにより、カラー画像を得ることを特徴とした画像表示装置。
【請求項２】
前記モノクローム画像表示装置は有機ＬＥＤ素子（又は有機ＥＬ素子ともいう）からなることを特徴とした請求項１の画像表示装置。
【請求項３】
前記モノクローム画像表示装置は液晶表示素子であることを特徴とした、請求項１の画像表示装置。
【請求項４】
前記干渉フィルタは二つの相対した半透明薄膜の間隔を圧電素子で制御することを特徴とした請求項１の画像表示装置。
【発明の詳細な説明】
【０００１】
【発明の属する技術分野】
本発明はビデオカメラ用ファインダーなど、比較的小型で高精細な画像表示が要求されるカラー画像表示装置に関するものである。
【０００２】
【従来の技術】
ビデオカメラなど、携帯機器に用いられるカラー画像表示装置には、小型、軽量、低消費電力であるとともに、安価であることが求められ、これらを満足する素子として図３に示す液晶表示装置が広く普及している。
【０００３】
しかしながら液晶表示装置には、以下の如き欠点もある。即ち、
（１）照明のための光源７００が必要であり、これが大きさ、質量、消費電力を増加させる。
【０００４】
（２）少なくとも、赤色、緑色、青色の三色４２１，４２２，４２３を一組としてカラー画像の一画素４２０を表示するために三色のフィルター６０４，６０５，６０６を持つ必要があり高精細な画像再現には限界がある。
【０００５】
上記（１）の欠点を解決する目的で、図４に示す有機ＬＥＤ（又は有機ＥＬとも言う）など、三色の発光部２２０，２３０，２４０を持つ自発光型の素子を用いる装置も開発されているが、（２）については未解決である。
【０００６】
他方、（２）を解決するために、図５に示す如く液晶パネルに画素ごとのフィルタを設けず、照明光源（主として透過光）を赤色、緑色、青色のＬＥＤ７０１，７０２，７０３などで構成し、この三色を順次切換えて点灯することでカラー画像を再現する方法も行われている。この方法では光源の大型化、高価格化が避けられない。
【０００７】
【発明が解決しようとする課題】
近年、ディジタル・スティル・カメラに用いる表示装置やヘッド・マウント・ディスプレイなど、より小型、高精細のカラー画像表示装置が求められるようになると、前述した従来技術ではいずれもその対応に限界があった。
【０００８】
本発明はこのような問題に鑑みてなされたもので、従来の三色光源切換や画素毎のカラーフィルターが不要となり、小型かつ高精細のカラー画像表示装置を提供することを目的とするものである。
【０００９】
【課題を解決するための手段】
本発明は、一次元又は二次元のモノクローム画像を表示する画像表示装置と、この画像表示装置から発したほぼ白色の光線を透過するフィルタとからなり、
前記フィルタは電気信号により可視光線の干渉距離を変化させて透過波長を制御する干渉フィルタであり、
前記モノクローム画像表示装置で順次三色分解した画像を表示するのと同期して、前記干渉フィルタの透過波長を選択することにより、カラー画像を得ることを特徴とした画像表示装置に関する。
【００１０】
また、前記モノクローム画像表示装置は有機ＬＥＤ素子（又は有機ＥＬ素子ともいう）からなることを特徴とした画像表示装置に関する。
【００１１】
また、前記モノクローム画像表示装置は液晶表示素子であることを特徴とした画像表示装置に関する。
【００１２】
さらに、前記干渉フィルタは二つの相対した半透明薄膜の間隔を圧電素子で制御することを特徴とした画像表示装置に関する。
【００１３】
本発明では、画像表示素子に白色発光タイプの有機ＬＥＤパネルや、カラーフィルタを用いない液晶パネルと白色照明光源とを組み合せたもの、などを使用し、かつ、これらパネルと多重反射型の光干渉フィルタを一体に形成するものである。多重反射型フィルタ（以下、干渉フィルタと略記する）は、並行に配置した反射膜の間隔によって透過する光の波長が選択されるもので、間隔を圧電素子などにより変化させることで、所望の色光を所望のタイミングで得ることができる。
【００１４】
【発明の実施の形態】
以下、本発明の実施形態を具体的な実施例に基づいて説明するが、本発明はこれらの実施例に限定されるものではない。
【００１５】
【実施例】
（実施例１）
図１は実施例１を示すカラー画像表示装置の断面図である。互いに平行に配置された２枚のガラス基板１００及び２００には、その相対する面に、半透過性の薄膜１０１及び２０１が真空蒸着法などにより形成されている。また１００及び２００は、圧電素子３００を介して、接着剤３０１で相互に固定されている。
【００１６】
圧電素子３００は、不図示の電極を通じて電圧を印加すると、長さが変化し、ガラス基板の間隔５００が変化する一方、ガラス基板２００の、薄膜２０１形成とは反対の面には、有機ＬＥＤ素子２１０が二次元状に配列されている。この素子は透明導電膜の陽極２１１上にホール輸送層２１２、電子注入層２１３、陰極２１４、さらに保護層２１５を順次真空蒸着法などにより形成したもので、その材料を適宜に選定することにより、ほぼ白色の発光４００を得る。
【００１７】
以上の構成による画像表示装置では、まず有機ＬＥＤ素子２１０により白色の画像を表示すると、該素子から発生した光４００は相対する薄膜２０１と１０１を通過して４０１に示す如く装置外に出る一方、１０１と２０１で反射した後に装置外に出る光線４０２、さらに繰り返して反射する光線４０３等に分かれる。
【００１８】
ここで、光線４０１と４０２、４０２と４０３、４０３と４０４等々の光路差はそれぞれ間隔５００（以下記号ｇで示す）の２倍となり、正の整数をｉとおくと、２・ｉ・ｇ（ｉ＝１，２，３…）に相当する波長の光線が干渉するため、この波長を選択的に透過又は遮断することができる。従って間隔ｇを圧電素子により変化させることで任意の色光を順次透過するフィルタを構成できる。
【００１９】
前記白色画像として、予め三色分解した画像を順次表示し、その表示のタイミングと、ｇを変化させるタイミングとを同期させ、順次、赤、緑、青色を選択的に透過させれば、カラー画像を表示させることができる。
【００２０】
（実施例２）
図２に第２の実施例を示す。ガラス基板２００には、薄膜２０１の形成側の裏側に透明電極６０２が形成され、同様の透明電極６０３を形成したガラス基板６００がシール剤６１０により接着固定されている。そして、ガラス基板２００と６００の間には液晶６０１が充填され、さらに基板１００と６００に偏光板６０４と６０５が貼付されている。即ち、全体としてモノクロームの液晶表示を構成している。
【００２１】
ここで白色光源７００により照明した液晶表示装置に、実施例１と同じく三色分解した画像を順次表示し、かつ同時に間隔ｇを変化させれば、カラー画像を表示させることができる。
【００２２】
なお、上記実施例ではいずれも圧電素子３００の厚さと間隔ｇとは略同等として説明したが、ガラス基板１００又は２００に段差を設けなければ、両者は互いに独立に設定できることは言うまでもない。
【００２３】
【発明の効果】
以上説明したように、本発明によればカラー画像表示装置に画素毎の色フィルターを設ける必要がなくなり、より高精細な画像を、小型かつ薄型の装置で表示することが可能になる。
【図面の簡単な説明】
【図１】本発明の第一の実施例を示す断面図である。
【図２】本発明の第二の実施例を示す断面図である。
【図３】従来のカラー液晶表示素子の断面図である。
【図４】従来の有機ＬＥＤ（又は有機ＥＬ）表示素子の断面図である。
【図５】従来のカラー液晶表示素子の断面図である。
【符号の説明】
１００，２００，６００　…ガラス基板
１０１，１０２　…薄膜
２１０　…白色有機ＬＥＤ素子
３００　…圧電素子
５００　…間隔
６０１　…液晶
７００　…白色光源
【図１】
2004117500.tif 000003
【図２】
2004117500.tif 000004
【図３】
2004117500.tif 000005
【図４】
2004117500.tif 000006
【図５】
2004117500.tif 000007